(57)【要約】【課題】燃料電池スタックの作動停止中に、水素ガスの無駄を抑制しつつ、カソード極が劣化するのを抑制する。【解決手段】燃料電池システムＡは、水素ガスと空気中の酸素ガスとの反応で発電する燃料電池スタック１０と、水素ガス供給路内に配置され、アノード極に供給される水素ガス量を調整可能な水素ガス導入弁３３，３５と、アノードオフガス通路内に配置されたアノードオフガス排出弁３７と、空気供給路に連結されたコンプレッサと、を備える。燃料電池スタック１０を作動停止すべきとき、水素ガス導入弁及びアノードオフガス排出弁が閉弁され、コンプレッサが停止される。作動停止中にアノード極に対するカソード極の電位差が上限値よりも大きくなったとき、水素ガス導入弁を開弁して水素ガスをアノード極に供給し、電位差の低下速度が許容範囲内に維持されるように水素ガスの供給量を制御する。【選択図】図１
2015216002.tif 000002
【特許請求の範囲】
【請求項１】
水素ガス通路内に設けられたアノード極と空気通路内に設けられたカソード極とを有し、前記アノード極に供給される水素ガスと前記カソード極に供給される空気中の酸素ガスとの電気化学反応により電力を発生する燃料電池スタックと、
水素ガス源と、
前記水素ガス通路の入口と前記水素ガス源とを互いに連結する水素ガス供給路と、
前記水素ガス供給路内に配置され、前記アノード極に供給される水素ガス量を調整可能な水素ガス導入弁と、
前記水素ガス通路の出口に連結されたアノードオフガス通路と、
前記アノードオフガス通路内に配置されたアノードオフガス排出弁と、
コンプレッサと、
前記空気通路の入口と前記コンプレッサとを互いに連結する空気供給路と、
を備え、
前記燃料電池スタックを作動停止すべきときには、前記水素ガス導入弁及び前記アノードオフガス排出弁が閉弁されると共に、前記コンプレッサが作動停止される、燃料電池システムであって、
前記燃料電池スタックの作動停止中に前記アノード極に対する前記カソード極の電位差が予め設定された上限値よりも大きくなったときには、前記水素ガス導入弁を一時的に開弁して水素ガスを前記アノード極に供給すると共に、
このときの前記電位差の低下速度が予め設定された許容範囲内に維持されるように前記アノード極への水素ガスの供給量を前記水素ガス導入弁により制御する、
燃料電池システム。
【請求項２】
水素ガス通路内に設けられたアノード極と空気通路内に設けられたカソード極とを有し、前記アノード極に供給される水素ガスと前記カソード極に供給される空気中の酸素ガスとの電気化学反応により電力を発生する燃料電池スタックと、
水素ガス源と、
前記水素ガス通路の入口と前記水素ガス源とを互いに連結する水素ガス供給路と、
前記水素ガス供給路内に配置され、前記アノード極に供給される水素ガス量を調整可能な水素ガス導入弁と、
前記水素ガス通路の出口に連結されたアノードオフガス通路と、
前記アノードオフガス通路内に配置されたアノードオフガス排出弁と、
コンプレッサと、
前記空気通路の入口と前記コンプレッサとを互いに連結する空気供給路と、
を備え、
前記燃料電池スタックを作動停止すべきときには、前記水素ガス導入弁及び前記アノードオフガス排出弁が閉弁されると共に、前記コンプレッサが作動停止される、燃料電池システムであって、
前記燃料電池スタックの作動停止中に前記アノード極に対する前記カソード極の電位差が予め設定された上限値よりも大きくなったときには、前記水素ガス導入弁を一時的に開弁して水素ガスを前記アノード極に供給すると共に、
このときの前記電位差の低下速度が予め設定された許容範囲内に維持されるように前記アノード極への水素ガスの供給量を前記水素ガス導入弁により制御する、
燃料電池システムの制御方法。
【発明の詳細な説明】
【技術分野】
【０００１】
本発明は、燃料電池システム及び燃料電池システムの制御方法に関する。
【背景技術】
【０００２】
電解質と、電解質の両側にそれぞれ設けられたアノード極及びカソード極とを有し、アノード極に供給される水素ガスとカソード極に供給される空気中の酸素ガスとの電気化学反応により電力を発生する燃料電池スタックと、燃料電池スタックの発電動作の停止中に水素ガスをアノード極に導入する導入路と、導入路に設けられた弁であって、アノード極に対するカソード極の電位差であるセル電圧に応じて開閉する弁と、を備える燃料電池システムが知られている（特許文献１参照）。
【０００３】
燃料電池システムでは、燃料電池スタックの作動停止中に、カソード極に空気が侵入する場合がある。ところが、侵入した空気中の酸素ガスが次いで電解質を透過してアノード極に拡散すると、カソード極において好ましくなく電気化学反応が生じるおそれがある。この場合、カソード極が劣化して発電性能が低下するおそれがある。一方、カソード極において好ましくなく電気化学反応が生じると、セル電圧が上昇する。そこで、特許文献１の燃料電池システムでは、燃料電池スタックの作動停止中にセル電圧が閾値を越えたときには、弁を開弁してアノード極に水素ガスを導入し、アノード極の酸素ガスを掃気するようにしている。
【先行技術文献】
【特許文献】
【０００４】
【特許文献１】特開２００８−２３５０１４号公報
【発明の概要】
【発明が解決しようとする課題】
【０００５】
しかし、特許文献１の燃料電池システムは、燃料電池スタックの作動停止中にアノード極へ供給される水素ガス量をどのように制御するかについて何ら開示していない。この点、アノード極から酸素ガスを速やかに掃気することを考えると、アノード極に多量の水素ガスを供給するのが好ましいかに見える。ところが、アノード極に多量の水素ガスを供給すると、余剰の水素ガスが燃料電池スタックから流出するばかりか、アノード極から電解質を透過してカソード極に到るおそれがある。これらの水素ガスは発電作用のために使用することができない。
【課題を解決するための手段】
【０００６】
本発明の一観点によれば、水素ガス通路内に設けられたアノード極と空気通路内に設けられたカソード極とを有し、前記アノード極に供給される水素ガスと前記カソード極に供給される空気中の酸素ガスとの電気化学反応により電力を発生する燃料電池スタックと、水素ガス源と、前記水素ガス通路の入口と前記水素ガス源とを互いに連結する水素ガス供給路と、前記水素ガス供給路内に配置され、前記アノード極に供給される水素ガス量を調整可能な水素ガス導入弁と、前記水素ガス通路の出口に連結されたアノードオフガス通路と、前記アノードオフガス通路内に配置されたアノードオフガス排出弁と、コンプレッサと、前記空気通路の入口と前記コンプレッサとを互いに連結する空気供給路と、を備え、前記燃料電池スタックを作動停止すべきときには、前記水素ガス導入弁及び前記アノードオフガス排出弁が閉弁されると共に、前記コンプレッサが作動停止される、燃料電池システムであって、前記燃料電池スタックの作動停止中に前記アノード極に対する前記カソード極の電位差が予め設定された上限値よりも大きくなったときには、前記水素ガス導入弁を一時的に開弁して水素ガスを前記アノード極に供給すると共に、このときの前記電位差の低下速度が予め設定された許容範囲内に維持されるように前記アノード極への水素ガスの供給量を前記水素ガス導入弁により制御する、燃料電池システムが提供される。
【０００７】
本発明の別の観点によれば、水素ガス通路内に設けられたアノード極と空気通路内に設けられたカソード極とを有し、前記アノード極に供給される水素ガスと前記カソード極に供給される空気中の酸素ガスとの電気化学反応により電力を発生する燃料電池スタックと、水素ガス源と、前記水素ガス通路の入口と前記水素ガス源とを互いに連結する水素ガス供給路と、前記水素ガス供給路内に配置され、前記アノード極に供給される水素ガス量を調整可能な水素ガス導入弁と、前記水素ガス通路の出口に連結されたアノードオフガス通路と、前記アノードオフガス通路内に配置されたアノードオフガス排出弁と、コンプレッサと、前記空気通路の入口と前記コンプレッサとを互いに連結する空気供給路と、を備え、前記燃料電池スタックを作動停止すべきときには、前記水素ガス導入弁及び前記アノードオフガス排出弁が閉弁されると共に、前記コンプレッサが作動停止される、燃料電池システムであって、前記燃料電池スタックの作動停止中に前記アノード極に対する前記カソード極の電位差が予め設定された上限値よりも大きくなったときには、前記水素ガス導入弁を一時的に開弁して水素ガスを前記アノード極に供給すると共に、このときの前記電位差の低下速度が予め設定された許容範囲内に維持されるように前記アノード極への水素ガスの供給量を前記水素ガス導入弁により制御する、燃料電池システム及び燃料電池システムの制御方法が提供される。
【発明の効果】
【０００８】
燃料電池スタックの作動停止中に、水素ガスの無駄を抑制しつつ、カソード極が劣化するのを抑制することができる。
【図面の簡単な説明】
【０００９】
【図１】燃料電池システムの全体図である。
【図２】セル電圧の変化を示すタイムチャートである。
【図３】カソード極保護制御を説明するタイムチャートである。
【図４】カソード極保護制御を説明するタイムチャートである。
【図５】カソード極保護制御を実行するルーチンを示すフローチャートである。
【発明を実施するための形態】
【００１０】
図１を参照すると、燃料電池システムＡは燃料電池スタック１０を備える。燃料電池スタック１０は積層方向に互いに積層された複数の燃料電池単セルを備える。各燃料電池単セルは膜電極接合体２０を含む。膜電極接合体２０は膜状の電解質と、電解質の一側に形成されたアノード極と、電解質の他側に形成されたカソード極とを備える。カソード極は例えば白金粒子を担持したカーボン粒子から形成される。
【００１１】
燃料電池単セルのアノード極及びカソード極はそれぞれ直列に電気的に接続され、燃料電池スタック１０の電極を構成する。燃料電池スタック１０の電極はＤＣ／ＤＣコンバータ１１を介してインバータ１２に電気的に接続され、インバータ１２はモータジェネレータ１３に電気的に接続される。また、燃料電池システムＡは蓄電器１４を備えており、この蓄電器１４はＤＣ／ＤＣコンバータ１５を介して上述のインバータ１２に電気的に接続される。ＤＣ／ＤＣコンバータ１１は燃料電池スタック１０からの電圧を高めてインバータ１２に送るためのものであり、インバータ１２はＤＣ／ＤＣコンバータ１１又は蓄電器１４からの直流電流を交流電流に変換するためのものである。ＤＣ／ＤＣコンバータ１５は燃料電池スタック１０又はモータジェネレータ１３から蓄電器１４への電圧を低くし、又は蓄電器１４からモータジェネレータ１３への電圧を高くするためのものである。図１に示される燃料電池システムＡでは蓄電器１４はバッテリから構成される。燃料電池スタック１０のカソード極及びアノード極には、アノード極に対するカソード極の電位差であるセル電圧を検出するセル電圧センサ１６が電気的に接続される。
【００１２】
また、燃料電池単セル内には、アノード極に水素ガスを供給するための水素ガス流通路と、カソード極に空気を供給するための空気流通路と、燃料電池単セルに冷却水を供給するための冷却水流通路とがそれぞれ形成される。複数の燃料電池単セルの水素ガス流通路、空気流通路、及び冷却水流通路をそれぞれ直列に接続することにより、燃料電池スタック１０には水素ガス通路３０、空気通路４０、及び冷却水通路（図示しない）がそれぞれ形成される。
【００１３】
水素ガス通路３０の入口には水素ガス供給路３１が連結され、水素ガス供給路３１は水素ガス源である水素タンク３２に連結される。水素ガス供給路３１内には上流側から順に、遮断弁３３と、水素ガス供給路３１内の水素ガスの圧力を調整するレギュレータ３４と、水素タンク３２からの水素ガスを燃料電池スタック１０に供給するための水素ガスインジェクタ３５と、が配置される。水素ガスインジェクタ３５は、燃料電池スタック１０のアノード極に供給される水素ガス量を調整可能である。図１の実施例では、水素ガスインジェクタ３５は、電磁式のインジェクタであり、３個のインジェクタ３５を水素ガス供給路３１内に互いに並列に配置した構成を有する。他の実施例ではインジェクタ３５を２個以下、又は、４個以上備えている。一方、水素ガス通路３０の出口にはアノードオフガス通路３６が連結される。遮断弁３３が開弁され、水素ガスインジェクタ３５が開弁されると、水素タンク３２内の水素ガスが水素ガス供給路３１を介して燃料電池スタック１０内の水素ガス通路３０内に供給される。このとき水素ガス通路３０から流出するガス、すなわちアノードオフガスはアノードオフガス通路３６内に流入する。アノードオフガス通路３６内にはアノードオフガス通路３６内を流れるアノードオフガスの量を制御するアノードオフガス排出弁３７が配置される。
【００１４】
また、空気通路４０の入口には空気供給路４１が連結され、空気供給路４１は空気源である大気４２に連結される。空気供給路４１内には上流側から順に、エアクリーナ４３と、空気を圧送する空気供給器ないしコンプレッサ４４と、コンプレッサ４４から燃料電池スタック１０に送られる空気を冷却するためのインタークーラ４５と、が配置される。一方、空気通路４０の出口にはカソードオフガス通路４６が連結される。コンプレッサ４４が駆動されると、空気が空気供給路４１を介して燃料電池スタック１０内の空気通路４０内に供給される。このとき空気通路４０から流出するガス、すなわちカソードオフガスはカソードオフガス通路４６内に流入する。カソードオフガス通路４６内にはカソードオフガス通路４６内を流れるカソードオフガスの量を制御するカソードオフガス制御弁４７が配置される。カソードオフガス通路４６のカソードオフガス制御弁４７の下流側と、空気供給路４１のインタークーラ４５の下流側とは、空気バイパス通路４９により互いに連結される。空気バイパス通路４９の入口には空気バイパス制御弁４８が配置される。空気バイパス制御弁４８は、燃料電池スタック１０を迂回して空気供給路４１からカソードオフガス通路４６へ流れる空気の量を制御する。図１に示される燃料電池システムＡでは空気バイパス制御弁４８は三方弁から形成される。
【００１５】
図１に示される実施例では、コンプレッサ４４の停止時に、わずかな空気がコンプレッサ４４を通過可能になっている。また、カソードオフガス制御弁４７を閉弁したときに、すなわちカソードオフガス制御弁４７の開度を最小にしたときに、わずかな空気がカソードオフガス制御弁４７を通過可能になっている。言い換えると、コンプレッサ４４が停止されかつカソードオフガス制御弁４７が閉弁されているときであっても、燃料電池スタック１０の空気通路４０は封止されておらず、すなわち空気通路４０には大気４２から空気が侵入可能になっている。このようなコンプレッサ４４及びカソードオフガス制御弁４７を用いると、燃料電池システムＡのコストを大幅に低減することができる。
【００１６】
電子制御ユニット６０はデジタルコンピュータからなり、双方向性バス６１によって互いに接続されたＲＯＭ（リードオンリメモリ）６２、ＲＡＭ（ランダムアクセスメモリ）６３、ＣＰＵ（マイクロプロセッサ）６４、入力ポート６５及び出力ポート６６を具備する。上述のセル電圧センサ１６の出力信号は対応するＡＤ変換器６７を介して入力ポート６５に入力される。一方、出力ポート６６は対応する駆動回路６８を介してＤＣ／ＤＣコンバータ１１、インバータ１２、モータジェネレータ１３、ＤＣ／ＤＣコンバータ１５、遮断弁３３、レギュレータ３４、水素ガスインジェクタ３５、アノードオフガス排出弁３７、コンプレッサ４４、カソードオフガス制御弁４７、空気バイパス制御弁４８に電気的に接続される。なお、図１に示される燃料電池システムＡでは、電子制御ユニット６０は、一方では車両操作者により操作されるイグニッションスイッチ７０を介して電源７２に電気的に接続され、他方では電源制御ユニット６０の消勢時に一定時間間隔で電気制御ユニット６０を起動するスイッチ回路７１を介して電源７２に接続する。
【００１７】
さて、燃料電池スタック１０で発電を行うべきとき、すなわち燃料電池スタック１０を作動すべきときには、遮断弁３３、水素ガスインジェクタ３５及びアノードオフガス排出弁３７が開弁され、したがって水素ガスが燃料電池スタック１０に供給される。また、コンプレッサ４４が駆動され、空気バイパス制御弁４８によりコンプレッサ４４と燃料電池スタック１０とが連通され、カソードオフガス制御弁４７が開弁され、したがって空気が燃料電池スタック１０に供給される。その結果、燃料電池単セルにおいて電気化学反応（Ｈ２→２Ｈ＋＋２ｅ−，（１／２）Ｏ２＋２Ｈ＋＋２ｅ−→Ｈ２Ｏ）が起こり、電気エネルギが発生される。この発生された電気エネルギはモータジェネレータ１３に送られる。その結果、モータジェネレータ１３が車両駆動用の電気モータとして作動され、車両が駆動される。一方、例えば車両制動時にはモータジェネレータ１３が回生装置として作動し、このとき回生された電気エネルギは蓄電器１４に蓄えられる。
【００１８】
これに対し、燃料電池スタック１０の作動を停止すべきときには、遮断弁３３、水素ガスインジェクタ３５及びアノードオフガス排出弁３７が閉弁され、したがって燃料電池スタック１０への水素ガスの供給が停止される。また、コンプレッサ４４が停止され、カソードオフガス制御弁４７が閉弁され、したがって燃料電池スタック１０への酸素ガスの供給が停止される。なお、燃料電池スタック１０の作動停止中にはアノード極とカソード極とは互いに短絡されている。
【００１９】
図２は、図１に示される燃料電池システムＡにおいて、燃料電池スタック１０の作動が停止された後のアノード極に対するカソード極の電位差であるセル電圧を示している。なお、図２に示される例では、アノード極の電位はゼロに保持されているので、セル電圧はカソード極の電位を示している。
【００２０】
図２においてＸ１で示されるタイミングでは、燃料電池スタック１０は作動中である。この場合、電解質の一側にあるアノード極には水素ガスが供給されており、電解質の他側にあるカソード極には空気が供給されており、燃料電池スタック１０では上述した電気化学反応が行われている。その結果、セル電圧ＣＶはＣＶ１となる。
【００２１】
次いで、図２においてＸ２で示されるように燃料電池スタック１０の作動が停止されると、上述したように燃料電池スタック１０への水素ガス及び空気の供給が停止される。燃料電池スタック１０への水素ガス及び空気の供給が停止されても、アノード極に残存する水素ガス及びカソード極に残存する酸素ガスにより上述の電気化学反応ないし発電作用が継続されており、セル電圧ＣＶは直ちに低下しない。ただし、残存水素ガス量及び残存酸素ガス量が次第に減少するので、図２にＸ３で示されるようにセル電圧ＣＶは次第に低下する。
【００２２】
次いで、残存水素ガスに対して残存酸素ガスが不足すると、発電作用が停止し、したがって図２にＸ４で示されるようにセル電圧がゼロとなる。このとき、アノード極にはわずかに水素ガスが残存している。
【００２３】
燃料電池スタック１０のカソード極に酸素ガスが存在しない限り、図２においてＸ５で示されるように、セル電圧ＣＶはゼロに維持される。ところが、上述したように、図１に示される燃料電池スタック１０では、燃料電池スタック１０の停止時に燃料電池スタック１０の空気通路４０内に空気が侵入し、したがってカソード極に空気が到達しうる。アノード極から透過する水素ガス量がカソード極に侵入する酸素ガス量の２倍（水素酸素比：２）よりも大きいときには、侵入した酸素を消費できる。この際には、カソード極の電位は上昇せず、したがってセル電圧はゼロに維持される。
【００２４】
ところが、残存水素ガス量が次第に少なくなって透過する水素ガス量が減少し水素酸素比が２よりも小さくなると、空気がカソード極内に滞留し、電解質を透過してアノード極に到るようになる。その結果、アノード極にはわずかな水素と空気が存在し、カソード極には空気が存在することになる。このような状態では、カソード極が好ましくなく酸化され、したがって劣化するおそれがある。一方、カソード極が酸化されるにつれて、カソード極の電位が次第に上昇し、したがって図２においてＸ６で示されるようにセル電圧ＣＶが次第に上昇する。
【００２５】
このように、燃料電池スタック１０の作動停止時におけるセル電圧ＣＶはカソード極の劣化の度合いを示している。そこで図１に示される燃料電池システムＡでは、燃料電池システム１０の作動停止中にセル電圧ＣＶが予め設定された上限電圧よりも大きくなったときには、カソード極を保護するカソード極保護制御を行うようにしている。次に、図３を参照しながらカソード極保護制御を説明する。
【００２６】
すなわち、図３の時間ｔ１においてセル電圧ＣＶが上限電圧ＣＶＵＬよりも大きくなると、遮断弁３３及び水素ガスインジェクタ３５が一時的に開弁され、したがって水素ガスがアノード極に供給される。この場合、アノードオフガス制御弁３７は閉弁状態に保持される。その結果、アノード極における酸素分圧が低下すると共に水素分圧が上昇し、それによりカソード極の酸化反応が抑制される。したがって、カソード極の劣化が抑制される。この場合、上述した水素酸素比が２以上になるように水素ガスが供給される。
【００２７】
このようにアノード極に水素ガスが供給されると、セル電圧ＣＶは次第に低下する。次いで、時間ｔ２においてセル電圧ＣＶが下限電圧ＣＶＬＬよりも小さくなると、アノード極への水素ガス供給が停止される。その結果、水素ガスの無駄な供給が抑制される。
【００２８】
更に、図１に示される燃料電池システムＡでは、カソード極保護制御中におけるセル電圧ＣＶの低下速度が予め設定された許容範囲内に維持されるようにアノード極への水素ガス供給量が水素ガスインジェクタ３５により制御される。言い換えると、図４に示されるように、カソード極保護制御中におけるセル電圧ＣＶの低下速度ｖＣＶが上限速度ｖＵＬと下限速度ｖＬＬとの間に維持されるように水素ガス供給量が制御される。具体的には、カソード極保護制御中におけるセル電圧ＣＶの低下速度ｖＣＶが下限速度ｖＬＬ以下のときには、水素ガス供給量が減少される。その結果、アノード極における水素ガス圧力が過度に高くなるのが抑制される。したがって、アノード極から電解質を透過してカソード極に到る水素ガス量を低減することができる。なお、この場合、セル電圧ＣＶの低下速度ｖＣＶが低減される。一方、カソード極保護制御中におけるセル電圧ＣＶの低下速度ｖＣＶが上限速度ｖＵＬ以上のときには、水素ガス供給量が増大される。その結果、セル電圧ＣＶの低下速度ｖＣＶが増大される。したがって、水素ガスが供給される時間が過度に長くなるのが阻止される。
【００２９】
したがって、遮断弁３３及び水素ガスインジェクタ３５を水素ガス導入弁と総称すると、燃料電池スタック１０の作動停止中にセル電圧ＣＶが予め設定された上限値よりも大きくなったときには、水素ガス導入弁を一時的に開弁して水素ガスをアノード極に供給すると共に、このときのセル電圧の低下速度が予め設定された許容範囲内に維持されるようにアノード極への水素ガスの供給量を水素ガス導入弁により制御している、ということになる。
【００３０】
図５は上述したカソード極保護制御を実行するルーチンを示している。このルーチンは電子制御ユニット６０が起動されるごとに１回だけ実行される。
図５を参照すると、ステップ１００では、燃料電池スタック１０が作動停止中であるか否かが判別される。燃料電池スタック１０が作動中のときには処理サイクルを終了する。燃料電池スタック１０が作動停止中のときにはステップ１００からステップ１０１に進み、セル電圧ＣＶが上限電圧ＣＶＵＬよりも高いか否かが判別される。ＣＶ≦ＣＶＵＬのときには処理サイクルを終了する。ＣＶ＞ＣＶＵＬのときにはステップ１０１からステップ１０２に進み、水素ガスの供給が開始される。続くステップ１０３ではセル電圧ＣＶの低下速度ｖＣＶが下限速度ｖＬＬよりも大きく上限速度ｖＵＬよりも小さいか否かが判別される。ｖＬＬ≧ｖＣＶ又はｖＣＶ≧ｖＵＬのときにはステップ１０４に進んで水素ガス供給量が調整される。次いでステップ１０５に進む。ｖＬＬ＜ｖＣＶ＜ｖＵＬのときには次いでステップ１０５にジャンプする。ステップ１０５ではセル電圧ＣＶが下限電圧ＣＶＬＬよりも低いか否かが判別される。ＣＶ≧ＣＶＬＬのときにはステップ１０３に戻る。ＣＶ＜ＣＶＬＬのときにはステップ１０５からステップ１０６に進み、水素ガスの供給が停止される。
【符号の説明】
【００３１】
１０    燃料電池スタック
３１    水素ガス供給路
３２    水素タンク
３３    遮断弁
３５    水素ガスインジェクタ
３６    アノードオフガス通路
３７    アノードオフガス排出弁
４１    空気供給路
４４    コンプレッサ
【図１】
2015216002.tif 000003
【図２】
2015216002.tif 000004
【図３】
2015216002.tif 000005
【図４】
2015216002.tif 000006
【図５】
2015216002.tif 000007